(57)【特許請求の範囲】
【請求項１】
既設流体管の外周面を少なくとも３方向の流路を確保できる筐体で密封し、不断水状態で前記既設流体管を切断して、筐体内部に仕切体を設置して他の流路を形成する既設流体管の不断水流路形成装置であって、
前記仕切体が前記筐体内の流体の少なくとも１流路を遮断する仕切板と、前記仕切板の上端部と一体的に連接される上蓋部とからなり、前記仕切板の周縁面を形成する両側面及び底面と、前記上蓋部の周縁面とにシール材が備えられており、前記筐体の内側面には、前記上蓋部の下面と近接もしくは当接する振れ止めピンがに固着され、さらに前記振れ止めピンの上部には、前記上蓋部を上方から下方に押圧する固定プラグねじが前記筐体の外側から筐体内側に突出可能に配設されているとともに、前記筐体の内側面及び内底面には、前記仕切板の周縁面のシール材が水密的に当接する当接面が、前記筐体の内側面及び内底面に連続した段部として突設され、且つ、前記筐体の内側面には、前記仕切板の左右両端部を案内し、前記仕切体の設置位置に導けるよう上下方向に延びる左右一対の案内片が形成され、該案内片が上下に２分割されており、うち上部における表裏一対の案内片が前記仕切体の案内のずれを修正するように上開きテーパ状に形成され、下部における表裏一対の案内片が平行に形成されているとともに、下部における表裏一対の案内片の上端部が、前記上部の案内片における前記仕切体の案内のずれをさらに修正するように上方に拡開される切欠き部が成形されていることを特徴とする既設流体管の不断水流路形成装置。
【発明の詳細な説明】
【技術分野】
【０００１】
本発明は、例えば上下水道管やガス管等の既設流体管を、内部の流体の流下を一時的に遮断することなく流路切替できるようにした既設流体管の不断水流路形成装置に関する。
【背景技術】
【０００２】
従来の既設流体管の不断水流路形成装置は、分割可能な筐体を既設管の外周面に水密的に装着し、筐体内部の既設管を切断した後、既設管の切断面間に仕切体等の流路形成装置を設置している（例えば、特許文献１参照）。
【０００３】
【特許文献１】実公平４−２９１８８号公報（第１頁、第３図）
【発明の開示】
【発明が解決しようとする課題】
【０００４】
しかしながら、特許文献１にあっては、既設管の切断の後、管内において切断面間に設置された仕切体が、管内の流下流体による水圧等の負荷を受けて、仕切板の側周面と筐体の内側面との当接面が所定の設置位置から変位するため、当接面に備えられていたシール材が当接面から変位し、変位した箇所から流体が溢水して、仕切体のシール効果が減ずる問題があった。
【０００５】
本発明は、このような問題点に着目してなされたもので、既設管の切断の後、管内において切断面間に設置された仕切体が、管内の流下流体による水圧等の負荷を受けた場合においても、仕切板の側周面と既設管内周面との当接面が所定の設置位置から変位せずに、シール効果を維持した仕切体を提供することを目的とする。
【課題を解決するための手段】
【０００６】
上記課題を解決するために、本発明の請求項１に記載の既設流体管の不断水流路形成装置は、
既設流体管の外周面を少なくとも３方向の流路を確保できる筐体で密封し、不断水状態で前記既設流体管を切断して、筐体内部に仕切体を設置して他の流路を形成する既設流体管の不断水流路形成装置であって、
前記仕切体が前記筐体内の流体の少なくとも１流路を遮断する仕切板と、前記仕切板の上端部と一体的に連接される上蓋部とからなり、前記仕切板の周縁面を形成する両側面及び底面と、前記上蓋部の周縁面とにシール材が備えられており、前記筐体の内側面には、前記上蓋部の下面と近接もしくは当接する振れ止めピンが固着され、さらに前記振れ止めピンの上部には、前記上蓋部を上方から下方に押圧する固定プラグねじが前記筐体の外側から筐体内側に突出可能に配設されているとともに、前記筐体の内側面及び内底面には、前記仕切板の周縁面のシール材が水密的に当接する当接面が、前記筐体の内側面及び内底面に連続した段部として突設され、且つ、前記筐体の内側面には、前記仕切板の左右両端部を案内し、前記仕切体の設置位置に導けるよう上下方向に延びる左右一対の案内片が形成され、該案内片が上下に２分割されており、うち上部における表裏一対の案内片が前記仕切体の案内のずれを修正するように上開きテーパ状に形成され、下部における表裏一対の案内片が平行に形成されているとともに、下部における表裏一対の案内片の上端部が、前記上部の案内片における前記仕切体の案内のずれをさらに修正するように上方に拡開される切欠き部が成形されていることを特徴としている。
この特徴によれば、水圧等の負荷により仕切板に回転力が発生することで、上蓋部の一方に上方押力が加わり、他方に下方押力が加わっても、上蓋部の上面に当接された固定プラグねじと、上蓋部の下面に近接もしくは当接された振れ止めピンとによって、上蓋部が上下から固定保持されるため、仕切体の変位がシール材の弾性変形の範囲内に抑止され、仕切体のシール効果を維持することができる。
また、仕切体を設置する際に、仕切体の下降動作中は、互いにほぼ平行に形成された下部における表裏一対の案内片により、仕切体の表裏両側から案内され、所定の位置に正確に、且つ傾くことなく設置できるとともに、管内の水圧等の影響下においても、仕切体の設置作業が容易となる。特に、仕切体が所定の設置位置に向けてずれを修正されながら下降動作を続ける際に、仕切板の底面端部が、下部の案内片の上端部に突接することなく表裏一対の案内片の間を案内され、上部の案内片においてのずれの修正の後、さらにずれが修正され、また仕切体は傾くことなく、所定の設置位置に正確に設置される。
また、筐体の内側面及び内底面には仕切板の周縁面のシール材が水密的に当接する当接面が、筐体の内側面及び内底面に連続した段部として突設されているので、筐体の内面をシール材の当接面とするものと比べ、段部の加工形成のみで、仕切板の両側面および底面と当接する当接面を確保できるので、加工形成が簡便でありまた安価である。
【０００７】
さらに、下部における表裏一対の案内片が、仕切板にかかる水圧等の負荷を受け止めるため、仕切体の変位が効果的に抑止される。
【発明を実施するための最良の形態】
【０００８】
本発明の実施例を以下に説明する。
【実施例１】
【０００９】
本発明の実施例を図面に基づいて説明すると、先ず図1は、本発明の第１実施形態における既設水道管１に不断水流路形成装置を装着し新設水道管３を連通接続した配管の全体像を示す平面図である。（ａ）は、不断水流路形成装置を既設水道管１に装着し、新設水道管３を連通接続した状態及び管内流体の流下方向を示した平面図であり、（ｂ）は、不断水流路形成装置内部の既設水道管１を切断した状態及び管内流体の流下方向を示した平面図であり、（ｃ）は、既設水道管１を切断した後に、不断水流路形成装置内部に仕切体４を設置した状態及び管内流体の流下方向を示した平面図である。図２（ａ）は、本発明における仕切体４を示す斜視図であり、（ｂ）は不断水流路形成装置の全体像を示す斜視図である。図３は、不断水流路形成装置の全体を示す平面図である。図４は、筐体の内側面及び内底面に一体的に連続して備えられた段部を示した、不断水流路形成装置の筐体のｆ−ｆ断面図である。図５（ａ）は、仕切体４が、筐体の上方から設置位置に向けて下降動作する途中地点における、不断水流路形成装置の筐体の縦断面図であり、（ｂ）は仕切体４が、設置位置に設置された地点における、不断水流路形成装置の筐体の縦断面図である。図６は、上下２分割の上部筐体１１、下部筐体１２を溶接加工にて接合する突合せ部を示した図３のａ−ａ及びｃ−ｃの拡大断面図であり、（ａ）は溶接加工前の突合せ部を示した拡大断面図であり、（ｂ）は溶接加工後の突合せ部を示した拡大断面図であり、（ｃ）研磨加工後の突合せ部を示した拡大断面図である。図７は、仕切体４を筐体内側面の設置位置に案内する案内片を示した図であり、（ａ）は筐体内の案内片を示した平面図であり、（ｂ）は（ａ）におけるｄ−ｄ断面図であり、（ｃ）は（ａ）におけるｃ−ｃ断面図である。図８は、仕切体４の筐体内側面の設置位置における振れ止めピン２２を示した側断面図である。図９は、不断水流路形成装置２内部の管を切断する穿孔用カッタを示した概略図である。図１０は、不断水流路形成装置２内部に仕切体４を設置する挿入機を示した概略図である。図１１は、仕切体４が不断水流路形成装置２内部に設置された状態における図５（ｂ）のｅ−ｅ断面図である。図１２は、仕切体４を筐体内側面の設置位置に案内する案内片の変形例を示した図である。
【００１０】
本発明の第１実施形態おける不断水流路形成装置２について装着後の配管状況は、図1（ａ）に示すように、上水管である既設水道管１の管内流体の流下方向に対して、例えば既設水道管１の一部に撤去や補修が必要な特定エリアＥを挟んだ上流側と下流側の２箇所の管部分に、本発明の第１実施形態における筐体１０からなる不断水流路形成装置２を既設水道管１の外周面に水密的に装着し、２箇所の不断水流路形成装置２を連通接続する新設水道管３を配設した後、筐体１０内部の既設水道管１部分を切断（図１（ｂ））して切断箇所に仕切体４を装着し、図１（ｃ）に示すように、既設水道管１の既設流路を迂回させる構成を有している。
【００１１】
このような不断水流路形成装置２及び新設水道管３の配設による迂回路の新設により、既設水道管１の特定エリアＥには管内流体が流下せず迂回するため、特定エリアＥに位置する管部分の撤去やあるいは補修等の作業が可能となる。
【００１２】
本発明の第１実施形態おける不断水流路形成装置２の外形は、図２及び図８に示すように、既設水道管の流路を変更する仕切体４と筐体１０とからなり、筐体１０は上部筐体１１と下部筐体１２とからなる上下２部分に分割可能となっている。筐体１０は、既設水道管１の外径よりも大なる内径を有する円筒形からなっており、上面に上向きに開口した円形の上方開口部Ｕが形成され、側面にも水平方向に開口した円形の側方開口部Ａ、Ａ’、Ｂが３箇所形成されている。
【００１３】
図２及び図３に示すように、側方開口部Ａ、Ａ’、Ｂのうち、水平方向の同一の中心軸Ｃを有し、筐体１０の側面において互いの対面に位置する側方開口部Ａ及び側方開口部Ａ’の内径は、既設水道管１の外径よりもほぼ同一あるいは若干大きく形成されており、これら側方開口部Ａ、Ａ’の両端部近傍における内面には水密的なシール材８ｃが備えられている。また、側方開口部Ｂの中心軸Ｄは、中心軸Ｃとほぼ直交する水平方向に形成されている。
【００１４】
また、上部筐体１１、下部筐体１２の外側面及び筐体１２の外底面には、補強用のリブ１４が設けられており、筐体１２の底面には、筐体１０の内部に設置された仕切体４を表裏側から挟む２箇所に、それぞれ開閉可能な排水口１３が設けられている。
【００１５】
不断水流路形成装置２の既設水道管１への装着について図２（ｂ）で示して説明すると、上部筐体１１及び下部筐体１２を、それぞれ既設水道管１の上方及び下方から、中心軸Ｃと既設水道管１の中心軸とを合わせる位置で、既設水道管１の外周部に装着する。既設水道管１の外周部に装着した上部筐体１１及び上部筐体１２の突合せ部は、溶接用の開先部１８が形成されており、図６を用いて後述するように、上部筐体１１、下部筐体１２の外側面からの溶接加工により、上部筐体１１及び下部筐体１２の接合を行う。また、開口部Ａ及び開口部Ａ’において、シール材８ｃを、筐体１０側のフランジ１７と分割構造の押し輪１７’との間に挟み込むことにより、筐体１０と既設水道管１の外周面との接合を行う。
【００１６】
溶接加工による上部筐体１１及び下部筐体１２の接合と、開口部Ａ及び開口部Ａ’の両端部と既設水道管１の外周面との接合により、筐体１０の内部は水密的となっている。
【００１７】
ここで、本実施例では図１に示して上述したように、既設水道管１の特定エリアＥを挟んだ上流部及び下流部の２箇所において、不断水流路形成装置２の装着を行った後、それぞれの開口部Ｂに水密的に連通接続した新設水道管３を配設する。これにより図１（ａ）に示すように、特定エリアＥを挟んだ上流部及び下流部の不断水流路形成装置２及び新設水道管３の内空間は、一体的に連通接続された閉空間であり、かつ水密的となる。
【００１８】
次に、図９、図１０を用いて作業工程を説明すると、上流側に配設された不断水流路形成装置２において、上方開口部Ｕに、上方開口部Ｕを開閉自在とし、閉状態においては不断水流路形成装置２内部の水密性を保持できる開閉弁３０が配設され、配設後の開閉弁３０は閉状態としておく。続いて、既設水道管１の外径よりも大なる内径及び高さを有し、下端周縁に下向きに配設された穿孔刃３２ａと、穿孔刃３２ａと同じ中心軸を有し穿孔刃３２ａよりも下方の位置に下向きに配設されたセンタードリル３２ｂと、センタードリル３２ｂの先方に設けられた掛止片３２ｃとを有する内空円筒状の穿孔用カッタ３２を、胴体３１内部空間に設け、円筒状の穿孔用カッタ３２の中心軸がほぼ鉛直方向を向き、かつ筐体１０内の既設水道管１の中心軸とほぼ直交方向に交差する位置に配設するように、胴体３１を開閉弁３０の上方に水密的に連通接続する。
【００１９】
次に、開閉弁３０を開状態とし、穿孔用カッタ３２を回転動作させながら、穿孔刃３２ａが、既設水道管１の全断面を通過するように進退移動させるストローク３３により、穿孔用カッタ３２を下降動作させる。穿孔用カッタ３２の回転動作及び下降動作により、既設水道管１は穿孔用カッタ３２の下端周縁の直径寸法分離間した２箇所の切断面で、既設水道管１上面の外周面から下方に徐々に切断され、穿孔刃３２ａが既設水道管１の全断面を通過するように下降動作した地点で、２箇所の切断面で既設水道管１が切断され、２箇所の切断面の間の既設水道管片１’が既設水道管１の管路から分断される。
【００２０】
上述の既設水道管１の切断動作において、既設水道管１は不断水状態であるため、既設水道管１内は水圧が加わった満水状態であり、穿孔用カッタ３２による切断動作において、センタードリル３２ｂが既設水道管１上面の外周面から既設水道管１の内部に達した時点で、既設水道管１の内部の流体が管外に漏出し、筐体１０の内空間及び上方に連通接続した胴体３１内部を満たして、さらに側方開口部Ｂに連通接続した新設水道管３の内部及び下流側に装着した不断水流路形成装置２の内空間を満たすようになる。ただし、図１（ａ）に示すように、２箇所の不断水流路形成装置２及び新設水道管３は水密的に連通接続されているため、既設水道管１の内部から漏出した流体が、不断水流路形成装置２及び新設水道管３の外部に漏出することはない。したがって、既設水道管１内の流体を不断水状態のまま、切断動作が可能となる。また、この切断動作は、図９で示される排水口１３を開口し、既設水道管１の切断時に発生する切り粉を外部に排出させながら行われる。
【００２１】
上流側の不断水流路形成装置２において、既設水道管１の切断動作後に、胴体３１の内部に配設した穿孔用カッタ３２と、センタードリル３２ｂの掛止片３２ｃに掛止した切断後の既設水道管片１’とを外部に搬出する。
【００２２】
次に、下流側に配設した方の不断水流路形成装置２においても同様に、開閉弁３０の上方に同じ仕様の胴体３１の内部に配設された穿孔用カッタ３２の上述と同様の動作により、既設水道管１を切断し、穿孔用カッタ３２と既設水道管片１’とを外部に搬出する。
【００２３】
この上流側及び下流側に配設した不断水流路形成装置２における、既設水道管１の切断及び既設水道管片１’の搬出動作の終了時点において、流体管の配管経路は図１（ｂ）に示すようになり、流体管内の流体の流下経路は、切断動作前と同様に既設水道管１内を流下する経路と、上流側の不断水流路形成装置２において流下流体が迂回して、新設水道管３内を流下し、下流側の不断水流路形成装置２において再び既設水道管１内に合流して流下する経路とが、併存する状態となる。
【００２４】
続いて、下流側の不断水流路形成装置２の内部において、既設水道管１を切断時に既設水道管１の切断面から発生し、排水口１３から排出されずに筐体１０内に残存した切り粉を、図示しない排出装置により上方開口部Ｕから排出する。
【００２５】
次に、既設水道管片１’及び切り粉を排出した後の下流側の不断水流路形成装置２において、図１０に示すように、仕切体４と挿入機３４を内部に配設した胴体３１’を開閉弁３０に水密的に連通接続した後、開閉弁３０を開状態として仕切体４を挿入機３４により上方から下方に向かって押圧する。
【００２６】
ここで、仕切体４は図２（ａ）で示すように、既設水道管１の内部の流体の流路を切替える鉛直方向に備えられる仕切板６と、仕切板６の上端部と一体的に連接される水平方向に備えられる円形の上蓋部５とからなり、上蓋部５の周面に設けられたシール材８ａが、筐体１０の内側面に設けられた段部１９と水密的に圧接するように形成されている。同様に、仕切板６の両側面に備えられたシール材８１ｂ及び底面に備えられたシール材８２ｂとからなるシール材８ｂが、仕切体４の設置位置において、筐体１０の内側面に設けられた側面段部１５、底面段部１６と水密的に圧接するように形成されている。
【００２７】
図１０に示すように、仕切体４は、挿入機３４により下方に押圧され、図５（ｂ）で示す筐体１０の内部に設置されると、開口部Ａの上流側から流下する流体が仕切体４により流路を水平方向にほぼ直交に変更され、開口部Ｂから下流側に流出するように形成されている。また流下流体に面する流路切替面７は、筐体１０の内部に設置後の位置において、管内の流体が上流から下流に向かう流下方向に向い湾曲する凹部を有する凹曲面が形成されているため、管内を流下する流体の流れに乱れが生じにくい。したがって、仕切体４に対する流下流体の乱れによる負荷が小さく、仕切体４のシール性の保持を長期間維持できる。
【００２８】
次に、上流側の不断水流路形成装置２においても同様に、既設水道管片１’及び切り粉を排出した後に、不断水流路形成装置２の内部に仕切体４を配設する。
【００２９】
この上流側及び下流側の不断水流路形成装置２に仕切体４を配設した時点において、水道管の配管経路は図１（ｃ）に示すようになり、既設水道管１内の流体の流下経路は、上流側の不断水流路形成装置２において流下流体が迂回して、新設水道管３内を流下し、下流側の不断水流路形成装置２において既設水道管１内に戻り流下する状態となる。したがって、既設の流下経路である特定エリアＥの管内には、流体が流下しない状態となるため、特定エリアＥに位置する管部分の撤去やあるいは補修等の作業が可能となる。
【００３０】
次に、不断水流路形成装置２の各部について、詳細に説明する。
【００３１】
仕切体４の設置位置における不断水流路形成装置２において、図４で示すように、仕切板６の底面との当接面が、若干高い段部に形成されており、穿孔用カッタ３２により既設水道管１を切断する際に、既設水道管１の切断面から発生して落下し、底面段部１６の当接面に付着する切り粉が、既設水道管１の内部における流下水流あるいは円筒状の穿孔用カッタ３２の回転動作により発生する乱水流により、筐体１０の内底面近傍を不規則的に揺動し、底面段部１６の当接面から落下するようになるため、仕切体４の設置の際において、仕切板６の底面に備えられたシール材８２ｂが、切り粉をはさみ込むことなく底面段部１６に押圧され、シール性能を高めることができる。図１１（ａ）で示されるように、底面段部１６の上面の幅寸法が、シール材８２ｂの幅寸法に対応するために必要なだけの狭い寸法に抑えられているために、底面段部１６の上面に切り粉が付着しづらくなる。
【００３２】
また、図５（ａ）で示すように、仕切板６の両側面及び底面に一体的に凸Ｒ面で連接したシール材８１ｂ及び８２ｂとからなるシール材８ｂが備えられており、筐体１０の内面においても側面段部１５と底面段部１６が一体的に凹Ｒ面で連続するように形成されている。
【００３３】
これにより、図５（ｂ）で示すように、仕切体４を筐体１０内部に設置した位置において、仕切板４の両下端角部と筐体１０底面段部１６の両端部との当接面が、互いに対応するＲ面で合致するため、仕切体４を筐体１０内部に設置する際に底面のシール材８２ｂにかかる荷重を徐々に両側面のシール材８１ｂにも負担させることが可能となり、底面のシール材８２ｂの横方向への変形を防止でき、当接面におけるシール効果を維持することができる。
【００３４】
また図５（ａ）に示すように、仕切板６が上部から下部に至るにしたがって幅狭のテーパ状であり、筐体１０の内側面が、仕切板６の幅寸法の変化に対応するように、筐体１０内部の側面段部１５が、上部から下部に至るにしたがって幅狭になるように形成されている。
【００３５】
したがって、図５（ａ）で示すように、仕切体４を設置する場合において、仕切体４の下降動作中は、仕切板６の両側面に備えたシール材８１ｂが、筐体１０の内側面との摺接により圧縮することがほとんどなく、設置位置において、仕切板６の両側面及び底面に備えたシール材８ｂがほぼ同時に筐体１０の内面に当接するため、シール材８ｂの変形による流体漏洩を防止できる。
【００３６】
また、仕切体４が筐体１０内部に設置された場合において、仕切板６の両側面及び底面に備えたシール材８ｂと筐体１０の内面とが当接した後、下向き押力を受けた仕切板６の底面のシール材８２ｂにかかる荷重を、底面両端部のＲ面を介して徐々に両側面のシール材８１ｂにも負担させることが可能となるため、底面のシール材８２ｂの横方向の変形を防止でき、当接面におけるシール効果を維持できる。
【００３７】
また、仕切板６の両側面が、正面視上開きテーパ状となっているため、仕切体４の筐体１０内における設置位置において、仕切体４の自重が、仕切板６の底面のシール材８２ｂのみならず、両側面に備えたシール材８１ｂにも均等に押圧力が加わり、底面のシール材８２ｂの変形を抑えることができるため、よりシール効果を増すことができる。
【００３８】
また、図４で示すように、仕切板６の筐体１０の内側面における当接面が、その他の内側面よりも、若干内向き側に肉厚の段部として形成されていることにより、筐体１０の内面を前記したシール材８ｂの当接面とするものと比べ、側面段部１５の加工形成のみで、仕切板６の両側面と当接する当接面を確保できるので、加工形成が簡便でありまた安価である。
【００３９】
また、図４で示すように、筐体１０の内側面及び内底面における、仕切板６との当接面が筐体１０の内部側に側面段部１５、底面段部１６を形成しているため、既設水道管１の外周面より大なる筐体１０の内部において、仕切体４の寸法形状を小さく抑えることができ、仕切体４の設置の作業手間を抑えることができる。
【００４０】
また、図４に示すように、本発明の不断水流路形成装置２は、ほぼ中央の高さで上下２分割する構造となっており、分割構造である筐体１０の接合方法について以下に説明する。筐体１０は、上部筐体１１と下部筐体１２とを外側面側からの溶接加工により接合する構造となっており、図６（ａ）に示すように、上部筐体１１と下部筐体１２との突合せ部には外側面に開先部１８を有している。
【００４１】
図６（ｂ）に示すように、外側面からの溶接加工により、筐体１０の内側面において、溶融凝固した溶接材料の一部が肉盛り部として形成される。そこで、前述のシール効果を維持する目的で、筐体１０の内側面における仕切板６との当接面を平滑にするために、当該肉盛り部のうち仕切板６との当接箇所（研磨箇所Ｋ）を、研磨加工による表面処理を施す。
【００４２】
従来の溶接加工による接合の場合、筐体内部に側面段部を有さないために、仕切板と筐体の内側面との当接箇所が位置特定できずに、研磨箇所を限定できない。したがって、予め広い面を研磨加工しなければならない問題があるばかりか、研磨しろを確保する上で筐体本体を肉厚にしなければならない。
【００４３】
本実施例の場合、筐体１０の内側面における、仕切板６との当接面のみが肉厚の側面段部１５に形成されていることにより、図６（ｃ）に示すように、仕切板６との当接箇所（研磨箇所Ｋ）の位置特定が容易であり、また、内側面に肉厚の段部として形成されているために、研磨しろを確保することができる。したがって、広い面を研磨加工する必要がなく、筐体１０本体を肉厚にする必要もない。
【００４４】
また、図５及び図７に示されるように、本発明の不断水流路形成装置２は、上部筐体１１と下部筐体１２とからなる筐体１０の内側面には、仕切体４が設置された状態において、仕切板６を表裏から挟む上下２箇所の位置に、案内片２０、２１、２０’、２１’が固着されている。図５（ａ）に示されるように案内片２０’、２１’と、図示しない案内片２０、２１が、仕切板６の表裏面と摺接しながら仕切体４を案内するため、仕切体４が上方から筐体１０内の設置位置に向かって下降動作する際に生ずる仕切板６の側面と側面段部１５の当接面との当接位置のずれを防止でき、管内の水圧等の影響下においても、仕切体４の設置作業が容易となる。
【００４５】
さらに図５（ａ）に示されるように、仕切体４が上方から下降動作する途中地点で、管内を流下する流体の負荷による当接位置のずれを生じている場合でも、筐体内の上部に固着した、仕切板６の表裏一対の案内片２０、２１は上開きテーパ状に形成されているため、仕切板６の挿入初期は挿入作業がし易く、仕切体４は上部における表裏一対の案内片２０、２１の間において、当初のずれを修正しながら下降動作するようになる。
【００４６】
また、筐体１０内側面の下部に固着した仕切板６の表裏一対の案内片２０’、２１’は、互いにほぼ平行に向かい合って形成されており、これらの案内片２０’、２１’の上端部２４が、上方に拡開される切欠き部が成形されていることにより、図５（ａ）に示されるように、仕切体４が所定の設置位置に向けてずれを修正されながら下降動作を続ける際に、仕切板６の底面端部が、下部の案内片の上端部２４に突接することなく表裏一対の案内片２０’、２１’の間を案内され、上部の案内片２０、２１においてのずれの修正の後、さらにずれが修正され、また仕切体４は傾くことなく、図５（ｂ）に示されるように所定の設置位置に正確に設置される。
【００４７】
また、図７（ｂ）に示されるように、仕切体４を筐体１０内部の所定位置に設置した場合において、仕切板６を表裏側から挟む位置に向かい合って配設された案内片のうち、流体の流下経路の一部と重なる位置に配設された上下の表側の案内片２０ｓ、２１ｓ’は、その他の案内片２０、２０’よりも上下方向の長さが短く形成されており、管内の水圧等の影響を抑止するようになっている。
【００４８】
仕切体４を筐体１０内部の所定位置に設置した状態が図５（ｂ）に示されており、仕切板６の側面と底面及び上蓋部５の周面に備えられたシール材８ａ、８ｂと、筐体１０内側面及び内底面に備えた側面段部１５、底面段部１６、段部１９とが、水密的に密接しており、管内流体の流下は仕切板６において遮断される。
【００４９】
この場合において配管全体を平面的に見ると、図１（ｃ）に示すように既設水道管１の既設管路が不断水流路形成装置２内部において遮断され、上流から遮断された管路は開口部Ｂを経て新設水道管３へ連通接続されることとなる。
【００５０】
また、図８に示すように筐体１０の内側面に振れ止めピン２２が、仕切体４の設置位置における、上蓋部５の下面と当接する高さ位置に所定間隔で４箇所配設されている。さらに、筐体１０の外側面にから内面に向けて螺挿される固定プラグねじ２３が、仕切体４の設置位置における、上蓋部５の上面と当接する高さ位置に所定間隔で６箇所配設されている。
【００５１】
図５（ｂ）に示す仕切体４の設置位置において、６箇所の固定プラグねじ２３が筐体１０の外側面から螺挿されることにより、固定プラグねじ２３の先端部が、上蓋部５の上面を摺接しながら筐体１０内部中心に向かって進入するため、仕切体４を下方に押圧した状態での固定が可能となる。
【００５２】
図８に示されるように、仕切体４の下方への不均等な押圧力が加わった場合には、高さ位置の等しい４箇所の振れ止めピン２２のいずれかが、上蓋部５の下面と当接してストッパーとして受けるため、仕切体４を水平方向を保持したまま、無理な全荷重をシール材８ａ、８ｂに与えることなく下方に押圧固定することができる。
【００５３】
したがって、仕切板６の側面及び底面に備えたシール材８ｂが、均等に下方に荷重されるため、水密性を確保することができる。
【００５４】
このように、仕切体４設置の後、管内において流下流体に面する流路切替面７が、流体力を受けた場合においても、特に仕切体４の上部においては振れ止めピン２２が流体力を受けて仕切体４を固定保持し、同様に仕切体４の下部においては仕切板６を挟む位置に配設された下部の案内片２０’、２１’が流体力を受け止めて仕切体４を確実に固定保持する。
【００５５】
また、図８に示されるように、仕切体４設置の後、管内において流下流体に面する仕切板６に、水圧等の負荷により回転力が発生しても、上蓋部５の上面に当接された固定プラグねじ２３と、上蓋部５の下面に近接もしくは当接された振れ止めピン２２とによって、上蓋部５が上下から固定保持されるため、仕切体４の変位がシール材８ａ、８ｂの弾性変形の範囲内に抑止され、仕切体４のシール効果を維持することができる。
【００５６】
また、図５（ｂ）に示される仕切板６を表裏両側から挟持するように、図７（ｃ）に示される筐体１０の内側面の下方に案内片２０’、２１’が表裏一対に設けられており、これらの案内片２０’、２１’が、仕切板６にかかる水圧等の負荷を受け止めるため、仕切体４の変位が効果的に抑止される。
【００５７】
以上、本発明の実施例を図面により説明してきたが、具体的な構成はこれら実施例に限られるものではなく、本発明の要旨を逸脱しない範囲における変更や追加があっても本発明に含まれる。
【００５８】
例えば、上記実施例では、図１（ａ）で示したように、既設水道管１の流下経路の特定エリアＥを挟んで不断水流路形成装置２を装着した後、上流側の不断水流路形成装置２の内部の既設水道管１を切断し、その後下流側の既設水道管１を切断したが、既設水道管１の切断の順序は、上流側、下流側のどちらから行ってもよい。
【００５９】
また、上記実施例では、特定エリアＥを挟んで上流側及び下流側の不断水流路形成装置２の内部の既設水道管１を切断した後、下流側の不断水流路形成装置２の内部において仕切体４を設置し、その後、上流側の仕切体を設置したが、仕切体４の設置の順序は、上流側、下流側のどちらから行ってもよい。
【００６０】
また、上記実施例では、筐体１０内部の側面段部１５が、上部から下部に至るにしたがって幅狭になるように形成されているが、側面段部１５が形成されず、筐体１０の内側面が上部から下部に至るにしたがって幅狭になるように形成されていてもよい。
【００６１】
また、上記実施例では、振れ止めピンの数量は４個であり、また固定プラグねじの数量は６個であるが、必ずしもこれらの数量には限定せず、仕切体４の固定保持の目的が達成できれば何個でもよい。
【００６２】
また、上記実施例では、既設水道管１の管内流体は上水であるが、管内流体は下水でもよいし、ガスでもよい。
【００６３】
また、上記実施例では、不断水流路形成装置２の内部における既設水道管１の切断手段は、内空円筒状の穿孔用カッタ３２であったが、既設水道管１を切断できれば切断手段は穿孔用カッタ３２に限らない。
【００６４】
また、上記実施例では、図１１（ａ）に示されるように、底面段部１６の上面は水平であるが、シール性を維持できれば、例えば図１１（ｂ）に示されるように、底面段部１６’の上面が、既設水道管１の上流側に向かって下り勾配に配設されていてもよい。既設水道管１の管内の水流と、底面段部１６’の上面の勾配により、切り粉がさらに底面段部１６’の上面に付着しづらくなる。
【００６５】
また、上記実施例では、図４に示されるように、上部筐体１１と下部筐体１２との接合を溶接加工により行っていたが、水密性を維持できれば、接合方法は溶接加工に限らない。例えば、それぞれの筐体の接合部にフランジを配設し、接合面にゴムパッキン等のシール材を挟み込み、ボルト、ナット等で接合してもよい。
【００６６】
また、上記実施例では、図７に示されるように、筐体１０内左右の側面段部１５、１５を挟む位置に、一対の案内片２０、２１が形成されていたが、仕切体４を正確に設置位置に案内できれば、案内片の形成される位置は、この位置に限らず、例えば、図１２に示されるように、案内片２１、２１’が仕切体４の下流側面のみを支持する位置に形成されていてもよい。
【図面の簡単な説明】
【００６７】
【図１】本発明の第１実施形態における既設水道管１に不断水流路形成装置を装着し新設水道管３を連通接続した配管の全体像を示す平面図である。（ａ）は、不断水流路形成装置を既設水道管１に装着し、新設水道管３を連通接続した状態及び管内流体の流下方向を示した平面図であり、（ｂ）は、不断水流路形成装置内部の既設水道管１を切断した状態及び管内流体の流下方向を示した平面図であり、（ｃ）は、既設水道管１を切断した後に、不断水流路形成装置内部に仕切体４を設置した状態及び管内流体の流下方向を示した平面図である。
【図２】（ａ）は、本発明における仕切体４を示す斜視図であり、（ｂ）は不断水流路形成装置の全体像を示す斜視図である。
【図３】不断水流路形成装置の全体を示す平面図である。
【図４】筐体の内側面及び内底面に一体的に連続して備えられた段部を示した、不断水流路形成装置の筐体のｆ−ｆ断面図である。
【図５】（ａ）は、仕切体４が、筐体の上方から設置位置に向けて下降動作する途中地点における、不断水流路形成装置の筐体の縦断面図であり、（ｂ）は仕切体４が、設置位置に設置された地点における、不断水流路形成装置の筐体の縦断面図である。
【図６】上下２分割の上部筐体１１、下部筐体１２を溶接加工にて接合する突合せ部を示した図３のａ−ａ及びｃ−ｃの拡大断面図であり、（ａ）は溶接加工前の突合せ部を示した拡大断面図であり、（ｂ）は溶接加工後の突合せ部を示した拡大断面図であり、（ｃ）は研磨加工後の突合せ部を示した拡大断面図である。
【図７】仕切体４を筐体内側面の設置位置に案内する案内片を示した図であり、（ａ）は筐体内の案内片を示した平面図であり、（ｂ）は（ａ）におけるｄ−ｄ断面図であり、（ｃ）は（ａ）におけるｃ−ｃ断面図である。
【図８】仕切体４の筐体内側面の設置位置における振れ止めピン２２を示した側断面図である。
【図９】不断水流路形成装置２内部の管を切断する穿孔用カッタを示した概略図である。
【図１０】不断水流路形成装置２内部に仕切体４を設置する挿入機を示した概略図である。
【図１１】仕切体４が不断水流路形成装置２内部に設置された状態における図５（ｂ）のｅ−ｅ断面図である。
【図１２】仕切体４を筐体内側面の設置位置に案内する案内片の変形例を示した図である。
【符号の説明】
【００６８】
１                既設水道管
１’              既設水道管片
２                不断水流路形成装置
３                新設水道管
４                仕切体
５                上蓋部
６                仕切板
７                流路切替面
８ａ              シール材（上蓋部周面）
８ｂ              シール材（仕切板周面）
８１ｂ            シール材（仕切板側面）
８２ｂ            シール材（仕切板底面）
８ｃ              シール材（側方開口部Ａ，Ｂ内周面）
１０              筐体
１１              上部筐体
１２              下部筐体
１３              排水口
１４              リブ
１５              側面段部
１６              底面段部
１６’            底面段部（上面勾配）
１７              フランジ
１７’            押し輪
１８              開先部
１９              段部（上蓋部用）
２０              上部案内片（表側）
２１              上部案内片（裏側）
２０’            下部案内片（表側）
２１’            下部案内片（裏側）
２０ｓ            上部案内片（表側）短片
２０ｓ’          下部案内片（表側）短片
２２              振れ止めピン
２３              固定プラグねじ
２４              下部案内片上端部
３０              開閉弁
３１              胴体
３１’            胴体
３２              穿孔用カッタ
３２ａ            穿孔刃
３２ｂ            センタードリル
３２ｃ            掛止片
３３              ストローク
３４              挿入機
Ａ                側方開口部（既設水道管上流側）
Ａ’              側方開口部（既設水道管下流側）
Ｂ                側方開口部（新設水道管側）
Ｃ                中心軸
Ｄ                中心軸
Ｅ                特定エリア
Ｋ                研磨箇所
Ｕ                上方開口部
【図１】
0004616601.tif 000002
【図２】
0004616601.tif 000003
【図３】
0004616601.tif 000004
【図４】
0004616601.tif 000005
【図５】
0004616601.tif 000006
【図６】
0004616601.tif 000007
【図７】
0004616601.tif 000008
【図８】
0004616601.tif 000009
【図９】
0004616601.tif 000010
【図１０】
0004616601.tif 000011
【図１１】
0004616601.tif 000012
【図１２】
0004616601.tif 000013